(57)【要約】【課題】足乗せ板の跳ね上がりを阻止することができ、しかも、それを簡素な構造で施工容易に実現することができて、体重の測定不具合の発生もなくすことができる、床埋込み型体重計の構造を提供する。【解決手段】防水周壁２ａの上端部には、側方に張り出す張り出し部２ｂ，２ｂが設けられると共に、足乗せ板８の下面側には、前記防水周壁側張り出し部２ｂ，２ｂの下面側に張り出す張り出し部９ｃ，１０ｃが設けられ、足乗せ板８の上面部における、水受け部６の上方張り出し部分に上から下への踏み込み力が作用したとき、体重計７を挟んで踏み込み力の作用した側とは反対の側において、足乗せ板側張り出し部９ｃ又は１０ｃが防水周壁側張り出し部２ｂの下面部に当接し、足乗せ板８の跳ね上がりが阻止されるようになされている。【選択図】      図１
2010133137.tif 000002
【特許請求の範囲】
【請求項１】
床面に形成された凹所内の底面部に、該凹所内の周壁との間に環状の水受け部を形成する防水周壁が固着状態に設けられ、
該防水周壁で囲まれた内部の底面に体重計が設置されると共に、該体重計の上に、足乗せ板が、水受け部の上方部に張り出し、床面凹所の開口部をカバーするように設置され、
前記防水周壁の上端部には、側方に張り出す防水周壁側張り出し部が設けられると共に、足乗せ板の下面側には、前記防水周壁側張り出し部の下面側に張り出す足乗せ板側張り出し部が設けられ、
足乗せ板の上面部における、前記水受け部上方張り出し部分に上から下への踏み込み力が作用したとき、体重計を挟んで踏み込み力の作用した側とは反対の側において、足乗せ板側張り出し部が防水周壁側張り出し部の下面部に当接し、足乗せ板の跳ね上がりが阻止されるようになされていることを特徴とする体重計の床埋込み構造。
【請求項２】
前記防水周壁側張り出し部が、体重計を挟む一方の側ともう一方の側に備えられると共に、足乗せ板側張り出し部が、それに対応して、体重計を挟む一方の側ともう一方の側に備えられ、前記一方の足乗せ板側張り出し部が足乗せ板に対して固定であると共に、前記もう一方の足乗せ板側張り出し部が足乗せ板に対して可動であり、
前記固定の足乗せ板側張り出し部を、前記一方の防水周壁側張り出し部の下面側に位置決め状態に位置させた状態で、前記可動の足乗せ板側張り出し部をもう一方の防水周壁側張り出し部の下面側に位置させるよう動かすことによって、足乗せ板の跳ね上がり阻止状態が形成されるようになされており、かつ、
前記可動の足乗せ板側張り出し部は、足乗せ板を体重計の上に設置した状態で、足乗せ板の上面側からのアクセスで動かすことができるようになされている請求項１に記載の体重計の床埋込み構造。
【請求項３】
前記防水周壁は平面視方形状をしており、
防水周壁側張り出し部は、該防水周壁の一方の対辺のそれぞれに対し、その各辺の全長ないしは略全長にわたって、又は、各辺における少なくとも両方の端部位置ないしは少なくとも両方の端部寄りの位置に間隔をおいて備えられており、
前記足乗せ板側張り出し部は、防水周壁の前記対辺のそれぞれに沿って延びる一対のレール材に備えられ、
両レール材は、それらの間隔寸法を調節できるように、一方を固定、もう一方を可動、又は、両方可動とするように、足乗せ板の下面側に設けられ、両レール材の間隔寸法を調整し、各レール材の張り出し部を防水周壁の前記対辺それぞれの張り出し部の下面側に位置させることによって、足乗せ板の跳ね上がり阻止状態が形成されるようになされており、かつ、
可動のレール材は、足乗せ板を体重計の上に設置した状態で、足乗せ板の上面側からのアクセスで動かすことができるようになされている請求項１に記載の体重計の床埋込み構造。
【発明の詳細な説明】
【技術分野】
【０００１】
本発明は、体重計の床埋込み構造に関する。
【背景技術】
【０００２】
日常的な体重測定を容易にすることなどを目的として、体重計をトイレや脱衣室の床面に埋込み状態に設置することは、従来より行われている。
【０００３】
そのような体重計床埋込み構造として、床面に形成された凹所内の底面部に、該凹所内の周壁との間に環状の水受け部を形成する防水周壁を設け、該防水周壁で囲まれた内部の底面に体重計を設置すると共に、該体重計の上に、足乗せ板を、水受け部の上方部に張り出し、床面凹所の開口部をカバーするように設置した構造のものがある。
【特許文献１】特願２００４−１０１２００号公報
【特許文献２】特願２００６−０９７３８８号公報
【発明の開示】
【発明が解決しようとする課題】
【０００４】
しかしながら、上記のような構造では、足乗せ板の上面部における、水受け部の上方に張り出している部分に上から下への踏み込み力が作用したとき、体重計を挟んで踏み込み力の作用した側とは反対の側において、足乗せ板の跳ね上がりを生じてしまうことから、それを阻止する手段が考案されているが、構造が複雑で、施工が厄介であり、また、施工不良を起こしやすく体重の測定不具合を生じさせてしまうおそれがあるという問題があった。
【０００５】
本発明は、上記のような問題点に鑑み、足乗せ板の跳ね上がりを阻止することができ、しかも、それを簡素な構造で施工容易に実現することができて、体重の測定不具合の発生もなくすことができる、床埋込み型体重計の構造を提供することを課題とする。
【課題を解決するための手段】
【０００６】
上記の課題は、床面に形成された凹所内の底面部に、該凹所内の周壁との間に環状の水受け部を形成する防水周壁が固着状態に設けられ、
該防水周壁で囲まれた内部の底面に体重計が設置されると共に、該体重計の上に、足乗せ板が、水受け部の上方部に張り出し、床面凹所の開口部をカバーするように設置され、
前記防水周壁の上端部には、側方に張り出す防水周壁側張り出し部が設けられると共に、足乗せ板の下面側には、前記防水周壁側張り出し部の下面側に張り出す足乗せ板側張り出し部が設けられ、
足乗せ板の上面部における、前記水受け部上方張り出し部分に上から下への踏み込み力が作用したとき、体重計を挟んで踏み込み力の作用した側とは反対の側において、足乗せ板側張り出し部が防水周壁側張り出し部の下面部に当接し、足乗せ板の跳ね上がりが阻止されるようになされていることを特徴とする体重計の床埋込み構造によって解決される（第１発明）。
【０００７】
この構造では、足乗せ板の上面部における、前記水受け部上方張り出し部分に上から下への踏み込み力が作用すると、体重計を挟んで踏み込み力の作用した側とは反対の側において、足乗せ板側張り出し部が防水周壁側張り出し部の下面部に当接し、その当接によって、足乗せ板の跳ね上がりを阻止することができる。
【０００８】
しかも、防水周壁の上端部に張り出し部を設け、その下面側に、足乗せ板下面側の張り出し部を位置させただけのものであるから、足乗せ板の跳ね上がりの阻止を、簡素な構造で、施工容易に実現することができ、それによってまた、体重の測定不具合の発生もなくすことができる。
【０００９】
第１発明において、前記防水周壁側張り出し部が、体重計を挟む一方の側ともう一方の側に備えられると共に、足乗せ板側張り出し部が、それに対応して、体重計を挟む一方の側ともう一方の側に備えられ、前記一方の足乗せ板側張り出し部が足乗せ板に対して固定であると共に、前記もう一方の足乗せ板側張り出し部が足乗せ板に対して可動であり、
前記固定の足乗せ板側張り出し部を、前記一方の防水周壁側張り出し部の下面側に位置決め状態に位置させた状態で、前記可動の足乗せ板側張り出し部をもう一方の防水周壁側張り出し部の下面側に位置させるよう動かすことによって、足乗せ板の跳ね上がり阻止状態が形成されるようになされており、かつ、
前記可動の足乗せ板側張り出し部は、足乗せ板を体重計の上に設置した状態で、足乗せ板の上面側からのアクセスで動かすことができるようになされているとよい（第２発明）。
【００１０】
この構造では、足乗せ板側の一方の張り出し部が固定で、もう一方が可動であるから、固定の足乗せ板側張り出し部を、防水周壁側の一方の張り出し部の下面側に位置させた後、可動の足乗せ板側張り出し部を、動かして、防水周壁側のもう一方の張り出し部の下面側に位置させればよく、足乗せ板側の各張り出し部を、防水周壁側の各張り出し部の下面側に、施工容易に位置させることができる。
【００１１】
しかも、足乗せ板側の固定の張り出し部は、防水周壁側の対応張り出し部との関係で、位置決めできるようになされているから、足乗せ板と床面凹所の開口部との平面方向における位置関係を、容易に正確な位置関係に設定することができる。
【００１２】
第１発明において、前記防水周壁は平面視方形状をしており、
防水周壁側張り出し部は、該防水周壁の一方の対辺のそれぞれに対し、その各辺の全長ないしは略全長にわたって、又は、各辺における少なくとも両方の端部位置ないしは少なくとも両方の端部寄りの位置に間隔をおいて備えられており、
前記足乗せ板側張り出し部は、防水周壁の前記対辺のそれぞれに沿って延びる一対のレール材に備えられ、
両レール材は、それらの間隔寸法を調節できるように、一方を固定、もう一方を可動、又は、両方可動とするように、足乗せ板の下面側に設けられ、両レール材の間隔寸法を調整し、各レール材の張り出し部を防水周壁の前記対辺それぞれの張り出し部の下面側に位置させることによって、足乗せ板の跳ね上がり阻止状態が形成されるようになされており、かつ、
可動のレール材は、足乗せ板を体重計の上に設置した状態で、足乗せ板の上面側からのアクセスで動かすことができるようになされているとよい（第３発明）。
【００１３】
この構造では、足乗せ板の下面側に２本のレール材を備えさせるだけで、足乗せ板の周端部における周方向のどの部分に踏み込み力が作用しても、足乗せ板の跳ね上がりを阻止することができ、しかも、いずれか一方のレール材、又は、両方のレール材を動かし、それらの相対位置関係を設定するだけで、足乗せ板の跳ね上がりを阻止することができて、足乗せ板の跳ね上がり阻止状態を、簡素な構造で、施工容易に実現することができる。
【発明の効果】
【００１４】
本発明は、以上のとおりのものであるから、足乗せ板の跳ね上がりを阻止することができ、しかも、それを簡素な構造で施工容易に実現することができて、体重の測定不具合の発生もなくすことができる。
【発明を実施するための最良の形態】
【００１５】
次に、本発明の実施最良形態を図面に基づいて説明する。
【００１６】
図１〜図４に示す実施形態の体重計床埋込み構造において、１は外防水パン、２は内防水パンであり、外防水パン１は、図３に示すように、平面視方形状をしており、防水周壁１ａの上端部に外方張り出し部１ｂが備えられ、図１に示すように、該外防水パン１を床面３の開口部４内に嵌め込み、外方張り出し部１ｂを床面開口周縁部に支承させた状態にすることで、床面３に凹所５が形成されるようになされている。
【００１７】
この外防水パン１の内部底面中央部に、外防水パン１よりも平面サイズが一回り小さい平面視方形状の内防水パン２がネジなどにより固着状態に取り付けられており、図４に示すように、外防水パン１の防水周壁１ａと、内防水パン２の防水周壁２ａとの間に、方形環状の水受け部６が形成されている。
【００１８】
体重計７は、内防水パン２の内部底面に設置され、該体重計７の上には、平面視方形状の足乗せ板８が、図１に示すように、水受け部６の上方部に張り出し、床面凹所５の開口部をカバーするように設置されている。
【００１９】
そして、内防水パン２には、図４に示すように、その一方の対辺のそれぞれの全長部分ないしは略全長部分にわたって、防水周壁２ａ（以下、単に「防水周壁」という。）の上端部に、外方に張り出す防水周壁側張り出し部２ｂ，２ｂが一体に設けられている。
【００２０】
また、それに対応して、足乗せ板８の下面側には、防水周壁２ａの前記対辺のそれぞれに沿って延びる一対のレール材９，１０が備えられている。各レール材９，１０は、図２（イ）に示すように、断面Ｚ形のものからなって、中間の垂直板部９ａ，１０ａを挟む一方の側の水平板部９ｂ，１０ｂを、足乗せ板８下面部への取付け部とし、中間の垂直板部９ａ，１０ａを挟むもう一方の側の水平板部９ｃ，１０ｃを内方に張り出す足乗せ板側張り出し部とし、図１（ロ）に示すように、両レール材９，１０の足乗せ板側張り出し部９ｃ，１０ｃがそれぞれ、防水周壁側張り出し部２ｂ，２ｂの下面側に張り出した状態に設置されている。これにより、図１（ハ）に示すように、足乗せ板８の上面部における周端部分、即ち、水受け部６の上方に張り出している部分に上から下への踏み込み力が作用したとき、体重計７を挟んで踏み込み力の作用した側とは反対の側において、足乗せ板側張り出し部１０ｃが防水周壁側張り出し部２ｂの下面部に当接し、足乗せ板８の跳ね上がりが阻止されるようになされている。
【００２１】
そして、上記の対のレール材９，１０のうちの一方のレール材９は、固定のレール材で、図２（イ）（ロ）に示すように、足乗せ板８の下面側に溶接で固定され、もう一方のレール材１０は、可動のレール材で、足乗せ板８に設けられた左右の長孔１１，１１に通されたネジ１２，１２によって足乗せ板８の下面側に取り付けられ、該ネジ１２，１２を緩めた状態にすることによって、前記固定側のレール材９に対して接近・離反の動きをし、レール材９，１０間の間隔寸法を調節することができるようになされている。
【００２２】
上記の可動のレール材１０を、足乗せ板８を体重計７の上に設置した状態で、足乗せ板８の上面側からのアクセスで動かすことができるよう、足乗せ板８には、アクセス用の開口１３が設けられると共に、可動のレール材１０には工具係合孔１４が設けられ、工具の先端を、アクセ開口１３を通じて係合孔１４に係合させることによって、図２（ハ）に示すように、可動のレール材１０を動かすことができるようになされている。
【００２３】
施工は、図５（イ）（ロ）に示すように、底面に内防水パン２をネジで予め固着状態に取り付けた外防水パン１を、床面３の開口部４に嵌め込み、その後、図５（ロ）（ハ）に示すように、内防水パン２の内部底面に体重計７を設置する。
【００２４】
そして、図６（イ）（ロ）に示すように、足乗せ板８の、固定のレール材９のある側の辺部を水受け部６内に差し込み、該固定のレール材９の張り出し部９ｃを、防水周壁２ａの張り出し部２ｂの下面側に配置し、図６（ロ）（ハ）に示すように、足乗せ板８を水平にしていき、体重計７の上に載せる。
【００２５】
しかる後、図６（ハ）（ニ）に示すように、可動のレール材１０を固定のレール材９の側に接近させ、該可動レール材１０の張り出し部１０ｃを、対応する防水周壁２ａの張り出し部２ｂの下面側に配置し、ネジ１２を締めて可動のレール材１０を足乗せ板８に固定状態にし、必要に応じて足乗せ板８の上に化粧板を取り付ければ、施工は完了である。
【００２６】
このように、上記の体重計床埋込み構造では、足乗せ板８側の張り出し部９ｃ，１０ｃを、防水周壁２ａ側の張り出し部２ｂ，２ｂの下面側に位置させるようにしているから、足乗せ板８の上面部における、水受け部６上方の張り出し部分に、上から下への踏み込み力が作用しても、体重計７を挟んで踏み込み力の作用した側とは反対の側において、足乗せ板側張り出し部９ｃ又は１０ｃが防水周壁側張り出し部２ｂの下面部に当接し、その当接によって、足乗せ板８の跳ね上がりを阻止することができる。
【００２７】
しかも、防水周壁２ａの上端部に張り出し部２ｂ，２ｂを設け、その下面側に、足乗せ板８の下面側の張り出し部９ｃ，１０ｃを位置させただけのものであるから、足乗せ板８の跳ね上がりの阻止を、簡素な構造で、施工容易に実現することができ、それによってまた、体重の測定不具合の発生もなくすことができる。
【００２８】
加えて、本実施形態では、足乗せ板８側の一方のレール材９が固定で、もう一方のレール材１０が可動であるから、固定のレール材９の張り出し部９ｃを、防水周壁２ａ側の一方の張り出し部２ｂの下面側に位置させた後、可動のレール材１０を動かして、その張り出し部１０ｃを防水周壁２ａ側のもう一方の張り出し部２ｂの下面側に位置させればよく、足乗せ板８側の各張り出し部９ｃ，１０ｃを、防水周壁２ａ側の各張り出し部２ｂ，２ｂの下面側に、施工容易に位置させることができる。
【００２９】
しかも、足乗せ板８側の固定のレール材９の張り出し部９ｃは、防水周壁２ａ側の対応張り出し部２ｂとの関係で、位置決めできるようになされているから、足乗せ板８と床面凹所５の開口部との平面方向における位置関係を、容易に正確な位置関係に設定することができる。
【００３０】
また、本実施形態では、足乗せ板８の下面側に２本のレール材９，１０を備えさせるだけで、足乗せ板８の周端部における周方向のどの部分に踏み込み力が作用しても、足乗せ板８の跳ね上がりを阻止することができ、しかも、固定、可動のうちの可動のレール材１０を動かし、両レール材９，１０の相対位置関係を設定するだけで、足乗せ板８の跳ね上がりを阻止することができて、足乗せ板８の跳ね上がり阻止状態を、簡素な構造で、施工容易に実現することができる。
【００３１】
以上に、本発明の実施形態を示したが、本発明はこれに限られるものではなく、発明思想を逸脱しない範囲で各種の変更が可能である。例えば、上記の実施形態では、防水周壁側張り出し部２ｂが、該防水周壁２ａの一方の対辺のそれぞれに対し、その各辺の全長ないしは略全長にわたって備えられている場合を示したが、各辺における少なくとも両方の端部位置ないしは少なくとも両方の端部寄りの位置に間隔をおいて備えられていてもよる。
【００３２】
また、上記の実施形態では、レール材９，１０を、一方を固定、もう一方を可動とした場合を示したが、レール材９，１０は、両方可動であってもよい。また、足乗せ板側張り出し部は、ピース物の金物を用いて備えられたものであってもよい。
【００３３】
更に、上記の実施形態では、水受け部を、外防水パンの周壁と、内防水パンの周壁とで区画形成した場合を示しているが、それによらず、方形環状の樋材を用いて水受け部を形成してもよく、その場合の防水周壁側の張り出し部は、該樋材の内周側の防水周壁に備えさせるようにすればよい。
【００３４】
また、上記の実施形態では、防水周壁側の張り出し部として、該防水周壁２ａの上端部から外方に張り出す張り出し部２ｂ，２ｂを採用すると共に、それに対応して、足乗せ板側の張り出し部として、内方に張り出す張り出し部９ｃ，１０ｃを採用した場合を示したが、防水周壁２ａの上端部から内方に張り出す張り出し部を採用すると共に、それに対応して、足乗せ板側の張り出し部として、外方に張り出す張り出し部を採用してもよい。
【図面の簡単な説明】
【００３５】
【図１】実施形態の体重計床埋込み構造を示すもので、図（イ）は平面図、図（ロ）は断面正面図、図（ハ）は足乗せ板の跳ね上がり阻止状態における力学的関係を示す断面正面図である。
【図２】図（イ）は足乗せ板とレール材とを分離状態にして示す斜視図、図（ロ）は足乗せ板の平面図及び正面図、図（ハ）は足乗せ板における可動のレール材の動きを説明する平面図及び正面図である。
【図３】外防水パンと内防水パンとを分離状態にして示す斜視図である。
【図４】内外防水パンと体重計と足乗せ板とを分離状態にして示す斜視図である。
【図５】図（イ）〜図（ハ）は、図６（イ）〜（ニ）と共に、施工方法を順次に示す断面正面図である。
【図６】図（イ）〜図（ニ）は、図５（イ）〜（ハ）と共に、施工方法を順次に示す断面正面図である。
【符号の説明】
【００３６】
２ａ…防水周壁
２ｂ…張り出し部
３…床面
５…凹所
６…水受け部
７…体重計
８…足乗せ板
９…固定のレール材
９ｃ…張り出し部
１０…可動のレール材
１０ｃ…張り出し部
【図１】
2010133137.tif 000003
【図２】
2010133137.tif 000004
【図３】
2010133137.tif 000005
【図４】
2010133137.tif 000006
【図５】
2010133137.tif 000007
【図６】
2010133137.tif 000008